(57)【要約】      （修正有）【課題】新型コロナウイルス等の飛沫感染源や、揚げ物を揚げる場合の飛散する高温の油や、溶接作業等における飛散する溶融金属等の飛散危険物を完全に遮断し、主として顔を中心とする頭部全体の保護を図る飛散危険物遮蔽具を提供する。【解決手段】飛散危険物遮蔽具１は、頭を通すことのできる程度の穴の開いたリング状の載置台２と、載置台２に取り付けることのできる被覆体３を備えており、載置台２の穴に頭を通して載置台２を肩の上に載せ、この載置台２に被覆体３を取り付けて頭の周囲を全面的に覆うようにする。また、被覆体３は、本体部３ａと前面部３ｂに二分割し、前面部３ｂが本体部３ａに対して上下にスライド可能にする。また、被覆体３の背面側中央にポータブルファン５を取り付け、内部の空気を払い出す通風孔ｈを任意の箇所に設ける。【選択図】図５
0003231128.tif 000002
【実用新案登録請求の範囲】
【請求項１】
首周りに装着して両肩の上に載置する載置台と、この載置台に取り付けられて頭部の周囲全面を覆う透明素材からなる被覆体を備え、この被覆体は、頭部の背面から頭部の頂面を覆う本体部と、この本体部の前面に装着されて顔の前面を覆う前面部に二分割されて結合・離脱可能にされるとともに、この前面部は、前記本体部に対して上下にスライド自在にされることを特徴とする飛散危険物遮蔽具。
【請求項２】
前記本体部又は前面部の任意の箇所には、音声を伝達するための音声伝達孔が形成されることを特徴とする請求項１に記載の飛散危険物遮蔽具。
【請求項３】
前記本体部の背面側中央の内部には、被覆体内部に向けて空気を送り込むためのポータブルファンが取り付けられ、また、必要に応じて、本体部の任意の箇所には内部の空気を払い出すための通風孔が形成されることを特徴とする請求項１又は請求項２に記載の飛散危険物遮蔽具。
【請求項４】
前記載置台には、載置台の位置を安定させ且つ載置台周辺の見栄えをよくするためのカバーが設けられることを特徴とする請求項１乃至請求項３のいずれか１項に記載の飛散危険物遮蔽具。
【考案の詳細な説明】
【技術分野】
【０００１】
本考案は、飛沫感染源や、飛散する高温の油や、飛散する溶融金属などの飛散危険物から、人間の顔を中心とする頭部を完全に遮蔽して保護するための技術に関する。
【背景技術】
【０００２】
近年、新型コロナウイルス感染症の流行に伴い、飛沫感染を防止するためのマスクとかフェースシールドの技術が多数提案されており、このうち特に、顔の表情が隠されないフェースシールドやマウスシールドは、接客等の機会の多い職場や幼児を扱う託児所用として多数提案されているが、主に、顔の前面または口の前面を局地的に覆うことで、装着が容易なタイプのものが大半である（例えば、特許文献１、特許文献２、特許文献３、特許文献４参照。）
【先行技術文献】
【特許文献】
【０００３】
【特許文献１】実用新案登録第３２２７７０１号公報
【特許文献２】実用新案登録第３２２８０５５号公報
【特許文献３】実用新案登録第３２２８０４９号公報
【特許文献４】実用新案登録第３２２７８３９号公報
【考案の概要】
【考案が解決しようとする課題】
【０００４】
ところが、上記のようなフェースシールドやマウスシールドは、顔の前面を局地的にカバーするだけのものであるため、例えばコロナウイルスが上方から落下してくるような場合とか、側方から侵入してくる場合等の遮蔽が十分でなく、また、自分から放出した飛沫等の遮断も完全でなかった。
また、コロナウイルス等の飛沫感染源の遮蔽のみならず、揚げ物をする場合の飛散する高温の油からの遮蔽や、溶接する場合に飛散する溶融金属等の飛散危険物から完全に遮蔽して顔面や頭部等を保護できれば好ましかった。
【０００５】
そこで本考案は、コロナウイルス等の飛沫感染源や、飛散する高温の油や、飛散する溶融金属等の飛散危険物から顔を中心とする頭部を完全に遮蔽して保護することを目的とする。
【課題を解決するための手段】
【０００６】
上記目的を達成するため本考案は、首周りに装着して両肩の上に載置する載置台と、この載置台に取り付けられて頭部の周囲全面を覆う透明素材からなる被覆体を設け、この被覆体として、頭部の背面から頭部の頂面を覆う本体部と、この本体部の前面に装着されて顔の前面を覆う前面部に二分割して結合・離脱可能にするとともに、この前面部を、前記本体部に対して上下にスライド自在にした。
【０００７】
このように、頭部の周囲を全面的に覆う被覆体を設けることにより、コロナウイルス等の飛沫感染源や、飛散する高温の油や、飛散する溶融金属等の飛散危険物を完全に遮断することができ、保護が確実となる。また、被覆体として、本体部と前面部に二分割して結合・離脱可能にするとともに、前面部を本体部に対して上下にスライド自在にすることにより、例えば食事等において、口の前面側を開放することができる。
【０００８】
この際、本体部又は前面部の任意の箇所に、音声を伝達するための音声伝達孔を形成すれば、他人との会話を不自由なく行うことができる。
また、前記本体部の背面側中央の内部に、被覆体内部に向けて空気を送り込むためのポータブルファンを取り付け、また、必要に応じて、本体部の任意の箇所に、内部の空気を払い出すための通風孔を形成すれば、例えば被覆体内部の湿度が上昇して被覆体が曇った場合などにおいて、ポータブルファンの作動によって曇りを取り除き、視界を良好に保つことができる。
この際、ポータブルファンとしては、電池等によって作動するものでもよく、手動によって作動するものでも良く、また、ファンのサイズ等も任意である。
【０００９】
また、本考案では、前記載置台に、載置台の位置を安定させ且つ載置台周辺の見栄えをよくするためのカバーを設ければ、載置台が首周りに回転して被覆体の前面部が顔からずれるような不具合を防止することができ、また、他人から見た目が良好になって好適である。
【考案の効果】
【００１０】
載置台を首周りに装着して両肩の上に載置し、この載置台に透明素材からなる被覆体を取り付けて頭部の周囲全面を覆うとともに、被覆体を、本体部と前面部に二分割し、前面部を、本体部に対して上下にスライド自在にすることにより、コロナウイルス等の飛沫感染源や、飛散する高温の油や、飛散する溶融金属等の飛散危険物を完全に遮断することができ、保護が確実となる。また、本体部の任意の箇所に、音声を伝達するための音声伝達孔を形成すれば、他人との会話を不自由なく行うことができ、本体部の背面側中央の内部に、被覆体内部に向けて空気を送り込むためのポータブルファンを取り付け、必要に応じて、本体部の任意の箇所に、内部の空気を払い出すための通風孔を形成すれば、例えば、被覆体が曇ったような場合でも、ポータブルファンの作動によって曇りを取り除き、視界を良好に保つことができる。
更に、載置台に、載置台の位置を安定させ且つ載置台周りの見栄えをよくするためのカバーを設ければ、載置台が首周りに回転して被覆体の前面部が顔からずれるような不具合を防止することができ、また、見た目を良好にすることができる。
【図面の簡単な説明】
【００１１】
【図１】本考案に係る飛散危険物遮蔽具の基本を示す分解斜視図である。
【図２】同飛散危険物遮蔽具を組み立てて、本体部に音声伝達孔を形成した状態の説明図である
【図３】（ａ）は、被覆体の本体部にポータブルファンや通風孔を形成する一例を示す説明図であり、（ｂ）は前面部を上方にスライドさせた状態の説明図である。
【図４】載置台にカバーを取り付ける場合の一例を示す説明図である。
【図５】装着状態を側面から見た状態の説明図である。
【考案を実施するための形態】
【００１２】
本考案の実施の形態について説明する。
本考案に係る飛散危険物遮蔽具は、例えば、新型コロナウイルス等の飛沫感染源や、揚げ物を揚げる場合の飛散する高温の油や、溶接作業等における飛散する溶融金属等の飛散危険物を完全に遮断し、主として顔を中心とする頭部全体の保護を図ることができるようにされている。
【００１３】
この飛散危険物遮蔽具の基本的な構成例について、図１に基づき説明すると、本飛散危険物遮蔽具１は、頭を通すことのできる程度の穴の開いたリング状の載置台２と、この載置台２に取り付けることのできる被覆体３を備えており、この被覆体３は、透明素材からなる樹脂等によって構成されるとともに、前後方向に二分割されている。
【００１４】
すなわち、この被覆体３は、上方が大径で下方が小径の切頂逆円錐形状をしており、下方の小径の差込み部ｓが、載置台２の上面に形成される略円形の差込み溝２ｍに挿し込むことができるようにされるとともに、装着した際に、頭部の背面から頂面にかけての外側部を覆うことのできる本体部３ａと、顔面の前面を覆う前面部３ｂに二分割されており、本体部３ａの前面側は開放部として切り欠かれた状態にされるとともに、前面部３ｂは、この切り欠かれた部分を覆うことができるようにされている。
因みに、被覆体３の形状として、上方が大径で下方が小径の切頂逆円錐形としているのは一例であり、これに限定されるものではない。
【００１５】
そして、前述のように、本体部３ａと前面部３ｂの下方には、載置台２の差込み溝２ｍに挿し込むための差込み部ｓが形成され、また、本体部３ａには、前面部３ｂの両サイドから突出する突起爪ｔを差し込むための一対の溝ｍが上下方向に長く切り裂かれており、この本体部３ａの溝ｍに、前面部３ｂの両サイドの突起爪ｔを差し込むことにより、被覆体３として組立・結合が簡単にできるようにされている。
【００１６】
また、本体部３ａの溝ｍに前面部３ｂの突起爪ｔを差し込んだ状態で、前面部３ｂを上下に移動させると、突起爪ｔが溝ｍの中を摺動して、前面部３ｂが本体部３ａに対して上下にスライドするようにされている。
このため、食事等において、口の部分を開放したい場合は、被覆体３全体を脱がなくても、前面部３ｂのスライド操作によって口の部分を開放することができる。
因みに、前面部３ｂを上方にスライドさせた状態は、図３（ｂ）の通りである。
【００１７】
次に、以上のような飛散危険物遮蔽具１の基本形態に加えて、他人との会話を容易にするため、音声伝達孔を形成する場合の実施例について、図２に基づき説明する。
【００１８】
本飛散危険物遮蔽具１の使用者が、例えば接客業者のように、主として他人との会話を重視している場合、音声伝達をスムーズに行う必要がある。この場合は、図２に示すように、被覆体３の本体部３ａまたは前面部３ｂの任意の箇所に音声伝達孔ｋ1、ｋ2を設ける。本実施例の場合は、装着者の耳に対応する箇所に、受話用の音声伝達孔ｋ1を形成し、装着者の口に近い箇所に発話用の音声伝達孔ｋ2を形成しているが、その位置やサイズや形状等は任意である。なお、発話用の音声伝達孔ｋ2は、前面部３ｂの口に近い箇所に形成してもよい。
【００１９】
次に、ポータブルファンにより被覆体３の内部にエアを吹き付ける構成について、図３に基づき説明する。
この構成は、例えば被覆体３の内面側が湿度により曇ったような場合に、曇りを除去するのに効果的であり、常に視界を良好に保つことができる。
【００２０】
この構成例では、図３（ａ）に示すように、被覆体３の内部の背面側中央に支柱枠４を設け、この支柱枠４の下方部にポータブルファン５を取り付けることにより、このポータブルファン５の作動によって、被覆体３内部にエアを吹き付けることができるようにされている。
この際、被覆体３の本体部３ａの任意の箇所に、被覆体３内部のエアを払い出すための通風孔ｈを設けるようにすれば好ましい。因みに、この通風孔ｈの位置やサイズや形状等は任意である。
また、ポータブルファン５の種類等も任意であり、電池等によって作動するものでもよく、手動によって作動するものでよく、作動のタイミングをスイッチ操作等で制御するようなものでもよい。
【００２１】
ところで、以上のような飛散危険物遮蔽具１は、載置台２の穴に頭を通して載置台２を肩の上に載せ、被覆体３の本体部３ａを頭部の後方から被せるように装着した後、前面部３ｂの突起爪ｔを本体部３ａの溝ｍに挿し込んで装着するものであるが、載置台２が首周りに回転すると、前面部３ｂが顔の正面からずれる恐れがある。
そこで、図４は、載置台２の位置を安定させるとともに、載置台２周辺の見栄えをよくするためのカバー６を設ける構成例である。
【００２２】
このカバー６の一例は、図４に示すように、載置台２の穴と同じ穴が空けられるとともに、一方側が長い卵型の形状をするとともに、長い方向の裏側または内部に重り７等の重量のある物質を設けたものであり、これを図５に示すように、体の前方に垂らしておくことにより、載置台２の位置を安定させることができる。そして、このカバー６の上面は綺麗に飾り付けておくことにより、載置台２周辺が隠されて見栄えが良くなる。
因みに、図５の実施例では、発話用の音声伝達孔ｋ2を、被覆体３の前面部３ｂに設けた例を示している。
【００２３】
以上のような構成により、新型コロナウイルス等の飛沫感染源や、揚げ物を揚げる場合の飛散する高温の油や、溶接作業等における飛散する溶融金属等の飛散危険物を完全に遮断し、主として顔を中心とする頭部全体の保護を図ることができる。
【００２４】
なお、本考案は以上のような実施形態に限定されるものではない。本考案の実用新案登録請求の範囲に記載した事項と実質的に同一であり、同一の作用効果を奏するものは本考案の技術的範囲に属する。例えば、載置台２や被覆体３やカバー６等の素材は任意である。
【産業上の利用可能性】
【００２５】
新型コロナウイルス等の飛沫感染源や、揚げ物を揚げる場合の飛散する高温の油や、溶接作業等における飛散する溶融金属等の飛散危険物を完全に遮断し、主として顔を中心とする頭部全体の保護を図ることができるため、広い分野での普及が期待される。
【符号の説明】
【００２６】
１…飛散危険物遮蔽具、２…載置台、３…被覆体、３ａ…本体部、３ｂ…前面部、５…ポータブルファン、６…カバー、ｋ1、ｋ2…音声伝達孔、ｈ…通風孔。
【図１】
0003231128.tif 000003
【図２】
0003231128.tif 000004
【図３】
0003231128.tif 000005
【図４】
0003231128.tif 000006
【図５】
0003231128.tif 000007
【手続補正書】
【提出日】令和2年12月24日(2020.12.24)
【手続補正１】
【補正対象書類名】実用新案登録請求の範囲
【補正対象項目名】全文
【補正方法】変更
【補正の内容】
【実用新案登録請求の範囲】
【請求項１】
首周りに装着して両肩の上に載置する載置台と、この載置台に取り付けられて頭部の周囲全面を覆う透明素材からなる被覆体を備え、この被覆体は、頭部の背面から頭部の頂面を覆う本体部と、この本体部の前面に装着されて顔の前面を覆う前面部に二分割されて結合・離脱可能にされるとともに、この前面部は、前記本体部に対して上下にスライド自在にされることを特徴とする飛散危険物遮蔽具。
【請求項２】
前記本体部又は前面部の任意の箇所には、音声を伝達するための音声伝達孔が形成されることを特徴とする請求項１に記載の飛散危険物遮蔽具。
【請求項３】
前記本体部の背面側中央の内部には、被覆体内部に向けて空気を送り込むためのポータブルファンが取り付けられ、また、本体部の任意の箇所には内部の空気を払い出すための通風孔が形成されることを特徴とする請求項１又は請求項２に記載の飛散危険物遮蔽具。
【請求項４】
前記載置台には、載置台の位置を安定させ且つ載置台周辺の見栄えをよくするためのカバーが設けられることを特徴とする請求項１乃至請求項３のいずれか１項に記載の飛散危険物遮蔽具。
【手続補正２】
【補正対象書類名】明細書
【補正対象項目名】０００８
【補正方法】変更
【補正の内容】
【０００８】
この際、本体部又は前面部の任意の箇所に、音声を伝達するための音声伝達孔を形成すれば、他人との会話を不自由なく行うことができる。
また、前記本体部の背面側中央の内部に、被覆体内部に向けて空気を送り込むためのポータブルファンを取り付け、また、本体部の任意の箇所に、内部の空気を払い出すための通風孔を形成すれば、例えば被覆体内部の湿度が上昇して被覆体が曇った場合などにおいて、ポータブルファンの作動によって曇りを取り除き、視界を良好に保つことができる。